(57)【要約】【課題】  携帯端末の周囲の輝度だけでなく他の条件をも参照することで、就寝中と就寝中ではない場合の着信モードの切り替え判断を自動且つ正確に行うことのできる携帯端末、着信モード切り替え方法及び着信モード切り替えプログラムを提供する。【解決手段】  『携帯端末１０が閉状態である（Ｓ２／Ｙｅｓ）』、『携帯端末１０の周囲輝度が基準輝度以下である（Ｓ４／Ｙｅｓ）』、『携帯端末１０が充電中である（Ｓ６／Ｙｅｓ）』の３条件を満たす場合には、着信モードを着信動作を実行しない「就寝モード」に切り替える（Ｓ７）。【選択図】  図３
2006352765.tif 000002
【特許請求の範囲】
【請求項１】
折り畳み可能な筐体から構成される携帯端末であって、
前記筐体の開閉状態を検知する開閉状態検知部と、
前記携帯端末の周囲の輝度を検出する光検出部と、
前記携帯端末が充電中であるか否かを判定する充電状態判定部と、を有し、
前記開閉状態検出部、前記光検出部及び前記充電状態判定部から得られた端末情報に基づいて着信モードの切り替えを行うことを特徴とする携帯端末。
【請求項２】
前記開閉状態検知部において前記筐体が閉じた状態であると検知され、前記光検出部において検出された周囲の輝度が予め定められた基準輝度を下回ると判定され、前記充電状態判定部において前記携帯端末が充電中であると判定された場合には、
前記着信モードを着信動作を実行する第１のモードから着信動作を実行しない第２のモードに切り替えることを特徴とする請求項１記載の携帯端末。
【請求項３】
前記第２のモード時に、
前記筐体が閉じた状態であるという条件、前記携帯端末の周囲の輝度が前記基準輝度を下回っているという条件、前記携帯端末が充電中であるという条件、の３条件のうち少なくとも１つが解除された場合には、
前記着信モードを前記第２のモードから前記第１のモードに切り替えることを特徴とする請求項２記載の携帯端末。
【請求項４】
前記着信モードを前記第２のモードから前記第１のモードに切り替える際に、前記第２のモード時に前記携帯端末への着信があった場合には、該着信があった旨を外部報知することを特徴とする請求項３記載の携帯端末。
【請求項５】
前記第２のモード時の着信制御は、任意設定が可能であることを特徴とする請求項２から４のいずれか１項に記載の携帯端末。
【請求項６】
前記光検出部は、前記携帯端末が備えるカメラ装置の受光素子であることを特徴とする請求項１から５のいずれか１項に記載の携帯端末。
【請求項７】
折り畳み可能な筐体から構成され、複数の着信モードを有する携帯端末の着信モード切り替え方法であって、
前記筐体が開いた状態であるか否かを検知する第１の工程と、
前記携帯端末の周囲輝度を検出し、該周囲輝度と予め定められた基準輝度とを比較する第２の工程と、
前記携帯端末が充電中であるか否かを判定する第３の工程と、
第１の工程において前記筐体が閉じた状態であると検知され、第２の工程において前記周囲輝度が前記基準輝度を下回ると判定され、第３の工程において前記携帯端末が充電中であると判定された場合に、着信動作を実行する第１のモードから着信動作を実行しない第２のモードに前記着信モードを切り替える第４の工程と、を有することを特徴とする着信モード切り替え方法。
【請求項８】
前記筐体が閉じた状態であるという条件、前記携帯端末の周囲の輝度が前記基準輝度を下回っているという条件、前記携帯端末が充電中であるという条件、の少なくとも１つが解除された場合に、前記着信モードを前記第２のモードから前記第１のモードに切り替える第５の工程を有することを特徴とする請求項７記載の着信モード切り替え方法。
【請求項９】
第５の工程において、前記第２のモードから前記第１のモードに切り替える際に、前記第２のモード時に前記携帯端末への着信があった場合には、該着信があった旨を外部報知する第６の工程を有することを特徴とする請求項８記載の着信モード切り替え方法。
【請求項１０】
折り畳み可能な筐体から構成され、複数の着信モードを有する携帯端末の着信モード切り替えプログラムであって、
前記筐体が開いた状態であるか否かを検知する第１の処理と、
前記携帯端末の周囲輝度を検出し、該周囲輝度と予め定められた基準輝度とを比較する第２の処理と、
前記携帯端末が充電中であるか否かを判定する第３の処理と、
第１の処理において前記筐体が閉じた状態であると検知され、第２の処理において前記周囲輝度が前記基準輝度を下回ると判定され、第３の処理において前記携帯端末が充電中であると判定された場合に、着信動作を実行する第１のモードから着信動作を実行しない第２のモードに前記着信モードを切り替える第４の処理と、を前記携帯端末に実行させることを特徴とする着信モード切り替えプログラム。
【請求項１１】
前記筐体が閉じた状態であるという条件、前記周囲輝度が前記基準輝度を下回っているという条件、前記携帯端末が充電中であるという条件、の少なくとも１つが解除された場合に、前記着信モードを前記第２のモードから前記第１のモードに切り替える第５の処理を前記携帯端末に実行させることを特徴とする請求項７記載の着信モード切り替えプログラム。
【請求項１２】
第５の処理において、前記第２のモードから前記第１のモードに切り替える際に、前記第２のモード時に前記携帯端末への着信があった場合には該着信があった旨を外部報知する第６の処理を前記携帯端末に実行させることを特徴とする請求項１１記載の着信モード切り替えプログラム。
【発明の詳細な説明】
【技術分野】
【０００１】
本発明は、携帯端末、着信モード切り替え方法及び着信モード切り替えプログラムに関し、特に、着信モードとして「通常モード」と「就寝モード」の切り替えを行う携帯端末、着信モード切り替え方法及び着信モード切り替えプログラムに関する。
【背景技術】
【０００２】
携帯電話機、ＰＨＳ（Personal Handy-phone System）などの携帯端末では、他端末からの電話着信・メール着信は、該携帯端末に備えられたスピーカ、ディスプレイ、バイブレータなどの報知手段により、音、画面表示、振動などの形で端末ユーザに報知される。
【０００３】
これらの報知手段による着信報知は、基本的には、時・場所を問わず、設定された着信出力で報知される。なので、ユーザの就寝中に着信があった場合には、該着信による着信音などにより睡眠が妨げられてしまうことがある。なので、ユーザは、就寝時には着信音が鳴らないように携帯端末の着信モードを切り替えていた。
【０００４】
このような着信モードの切り替えはユーザの設定操作を必要とする。なので、ユーザは就寝・起床の度に着信モードを切り替えなくてはならず、この切り替え操作は非常に煩わしいものであった。また、起床後に着信モードの切り替えを忘れると着信の通知が行われないモードが継続してしまうので、活動中のユーザが電話やメールの着信に気が付かないことがあった。
【０００５】
近年では、上記の問題点について対処・対応するために、着信モードを自動で切り替えることのできる携帯端末が提案されている。このような自動切り替え機能を持つ携帯端末に関する技術としては、次のものが知られている。
【０００６】
特許文献１では、受信機の周囲近傍の輝度を検知する輝度検出部を有し、予め設定された輝度情報と、予め設定された時間情報と、輝度検出部により検知された輝度情報とに基づいて、報知手段の報知出力を変更する無線選択呼び出し受信機が提案されている。
【０００７】
また、特許文献２では、周囲の明暗状況を検出する光検出手段と、該検出手段の出力を受けて着信機能の自動選択処理を行う制御手段とを具備し、光検出手段の照度変化に応じて、端末の動作状態・サービス設定の切り替え制御を行う携帯電話機が提案されている。
【特許文献１】特開平１０−４２３３０号公報
【特許文献２】特開平１１−１６８７６９号公報
【発明の開示】
【発明が解決しようとする課題】
【０００８】
しかし、上記の特許文献１、特許文献２の発明では、端末の周囲の明るさのみを着信出力制御（着信モード切り替え）の判断材料としているので、周囲が暗い場合には無条件で着信モードが変更されてしまう。これでは、ユーザの就寝時だけでなく、携帯電話をポケットやカバン等に入れているために端末の周囲が暗い場合にも着信モードが変更され、着信出力がなされなくなってしまう。また、暗所においても携帯端末を通常の着信モードで使用したいケースも多々あるが、上記の技術では、暗所において通常の着信モードを実現できない。これでは端末ユーザにとって非常に不都合である。
【０００９】
本発明は上記の点に鑑みてなされたものであり、携帯端末の周囲の輝度だけでなく、他の条件（端末の開閉状態、充電器への接続状況）をも参照することで、暗所での着信モードの切り替えを自動且つ正確に行う、具体的には、就寝中と就寝中ではない場合の着信モードの切り替え判断を自動且つ正確に行うことのできる携帯端末、着信モード切り替え方法及び着信モード切り替えプログラムを提供することを目的とする。
【課題を解決するための手段】
【００１０】
請求項１記載の発明は、折り畳み可能な筐体から構成される携帯端末であって、前記筐体の開閉状態を検知する開閉状態検知部と、前記携帯端末の周囲の輝度を検出する光検出部と、前記携帯端末が充電中であるか否かを判定する充電状態判定部と、を有し、前記開閉状態検出部、前記光検出部及び前記充電状態判定部から得られた端末情報に基づいて着信モードの切り替えを行うことを特徴とする。
【００１１】
請求項２記載の発明は、請求項１記載の携帯端末において、前記開閉状態検知部において前記筐体が閉じた状態であると検知され、前記光検出部において検出された周囲の輝度が予め定められた基準輝度を下回ると判定され、前記充電状態判定部において前記携帯端末が充電中であると判定された場合には、前記着信モードを着信動作を実行する第１のモードから着信動作を実行しない第２のモードに切り替えることを特徴とする。
【００１２】
請求項３記載の発明は、請求項２記載の携帯端末において、前記第２のモード時に、前記筐体が閉じた状態であるという条件、前記携帯端末の周囲の輝度が前記基準輝度を下回っているという条件、前記携帯端末が充電中であるという条件、の３条件のうち少なくとも１つが解除された場合には、前記着信モードを前記第２のモードから前記第１のモードに切り替えることを特徴とする。
【００１３】
請求項４記載の発明は、請求項３記載の携帯端末において、前記着信モードを前記第２のモードから前記第１のモードに切り替える際に、前記第２のモード時に前記携帯端末への着信があった場合には、該着信があった旨を外部報知することを特徴とする。
【００１４】
請求項５記載の発明は、請求項２から４のいずれか１項の携帯端末において、前記第２のモード時の着信制御は、任意設定が可能であることを特徴とする。
【００１５】
請求項６記載の発明は、請求項１から５のいずれか１項に記載の携帯端末において、前記光検出部は、前記携帯端末が備えるカメラ装置の受光素子であることを特徴とする。
【００１６】
請求項７記載の発明は、折り畳み可能な筐体から構成され、複数の着信モードを有する携帯端末の着信モード切り替え方法であって、前記筐体が開いた状態であるか否かを検知する第１の工程と、前記携帯端末の周囲輝度を検出し、該周囲輝度と予め定められた基準輝度とを比較する第２の工程と、前記携帯端末が充電中であるか否かを判定する第３の工程と、第１の工程において前記筐体が閉じた状態であると検知され、第２の工程において前記周囲輝度が前記基準輝度を下回ると判定され、第３の工程において前記携帯端末が充電中であると判定された場合に、着信動作を実行する第１のモードから着信動作を実行しない第２のモードに前記着信モードを切り替える第４の工程と、を有することを特徴とする。
【００１７】
請求項８記載の発明は、請求項７記載の着信モード切り替え方法において、前記筐体が閉じた状態であるという条件、前記携帯端末の周囲の輝度が前記基準輝度を下回っているという条件、前記携帯端末が充電中であるという条件、の少なくとも１つが解除された場合に、前記着信モードを前記第２のモードから前記第１のモードに切り替える第５の工程を有することを特徴とする。
【００１８】
請求項９記載の発明は、請求項８記載の着信モード切り替え方法において、第５の工程において、前記第２のモードから前記第１のモードに切り替える際に、前記第２のモード時に前記携帯端末への着信があった場合には、該着信があった旨を外部報知する第６の工程を有することを特徴とする。
【００１９】
請求項１０記載の発明は、折り畳み可能な筐体から構成され、複数の着信モードを有する携帯端末の着信モード切り替えプログラムであって、前記筐体が開いた状態であるか否かを検知する第１の処理と、前記携帯端末の周囲輝度を検出し、該周囲輝度と予め定められた基準輝度とを比較する第２の処理と、前記携帯端末が充電中であるか否かを判定する第３の処理と、第１の処理において前記筐体が閉じた状態であると検知され、第２の処理において前記周囲輝度が前記基準輝度を下回ると判定され、第３の処理において前記携帯端末が充電中であると判定された場合に、着信動作を実行する第１のモードから着信動作を実行しない第２のモードに前記着信モードを切り替える第４の処理と、を前記携帯端末に実行させることを特徴とする。
【００２０】
請求項１１記載の発明は、請求項１０記載の着信モード切り替えプログラムにおいて、前記筐体が閉じた状態であるという条件、前記周囲輝度が前記基準輝度を下回っているという条件、前記携帯端末が充電中であるという条件、の少なくとも１つが解除された場合に、前記着信モードを前記第２のモードから前記第１のモードに切り替える第５の処理を前記携帯端末に実行させることを特徴とする。
【００２１】
請求項１２記載の発明は、請求項１１記載の着信モード切り替えプログラムにおいて、第５の処理において、前記第２のモードから前記第１のモードに切り替える際に、前記第２のモード時に前記携帯端末への着信があった場合には該着信があった旨を外部報知する第６の処理を前記携帯端末に実行させることを特徴とする。
【発明の効果】
【００２２】
本発明により、開閉状態、周囲輝度、充電状態を参照して、着信動作を実行するモードと着信動作を実行しないモードとを着信モードを自動且つ正確に切り替えることが可能となる。よって、ユーザがモードの切り替えを行う必要がなくなる。また、従来の携帯端末のようにポケットやカバンの中にあるためにモードが切り換わるという不都合をなくすことができる。
【発明を実施するための最良の形態】
【００２３】
＜携帯端末／外部構成＞
本発明の一実施形態にかかる携帯端末の外部構成について、図１を参照して説明する。
【００２４】
本実施形態の携帯端末１０は、上部筐体１１と下部筐体１２とがヒンジ部１３により機械的に接続された「折り畳み型携帯端末」である。携帯端末１０を直接使用する際には、該携帯端末１０を「開状態」にし、該携帯端末１０を使用せずに着信待機状態にする場合には、携帯端末１０を「閉状態」にする。
【００２５】
上部筐体１１の表面には、液晶ディスプレイ１４と、受話口１５と、が設けられている。液晶ディスプレイ１４は、現在の端末状態やメッセージ、入力データなどを表示する。受話口１５は、通話時に相手の声を出力する。
【００２６】
下部筐体１２の表面には、入力キー群１６と、送話口１７と、が設けられている。入力キー群１６は、携帯端末１０へのキー入力を受け付ける。送話口１７は、通話時にユーザの声を受け付ける。
【００２７】
また、上部筐体１１の背面には、背面ディスプレイ１８と、カメラ装置１９と、スピーカ２０と、ＬＥＤランプ２１と、アンテナ２２と、が設けられている。背面ディスプレイ１８は、背面に設けられた液晶ディスプレイであり、携帯端末１０の閉状態時に現在の端末状態やメッセージなどを表示する。カメラ装置１９は、レンズやフォトライトからなり、被写体画像を取り込むカメラ機能を実行する。スピーカ２０は、着信音や各種アラーム音を出力する。ＬＥＤランプ２１は、着信時などに点灯・点滅し、その旨をユーザに報知する。アンテナ２２は無線通信網を介した無線通信を可能とするためのアンテナである。
【００２８】
また、下部筐体１２の背面には、携帯端末１０の駆動源であるバッテリ２３が取り付けられている。このバッテリ２３は外部電源により充電することが可能である。
【００２９】
＜携帯端末／内部構成＞
次に、本実施形態の携帯端末１０の内部構成について、図２を参照して説明する。
【００３０】
携帯端末１０は、ＣＰＵ３１と、無線通信部３２と、通話制御部３３と、キー入力検出部３４と、液晶制御部３５と、スピーカ制御部３６と、カメラ装置制御部３７と、バイブレータ制御部３８と、開閉状態検知部３９と、充電制御部４０と、ＬＥＤランプ制御部４１と、から構成される。
【００３１】
ＣＰＵ（Central Processing Unit）３１は、携帯端末１０の制御を行う中央演算処理部である。無線通信部３２は、該携帯端末１０の無線通信を実行する。通話制御部３３は、送話口１７から入力されたユーザの声を電気信号に変換する変換処理や、送られてきた相手方の音声信号を変換し受話口１５から出力する出力処理を行う。キー入力検出部３４は、ユーザが入力キー群１６を介して入力したキー操作・コマンドを検出する。
【００３２】
液晶制御部３５は、液晶ディスプレイ１４及び背面ディスプレイ１８に表示する画面やメッセージの制御処理を行う。スピーカ制御部３６は、スピーカ２０による着信音や各種アラーム音の出力制御を行う。カメラ装置制御部３７は、カメラ装置１９による撮影処理の制御を行う。また、本実施形態においては、光検出部として携帯端末１０の周囲の輝度（明るさ）の検出を行う。
【００３３】
バイブレータ制御部３８は、偏心モータとおもりからなり、着信などがあった際に振動を発生させるバイブレータの制御を行う。開閉状態検知部３９は、リードスイッチからなり携帯端末１０が「開状態」と「閉状態」のどちらの状態であるのを検知する。充電制御部４０は、充電に関する各種制御を行う。また、充電状態判定部として携帯端末１０が充電中か動化を判定する。ＬＥＤランプ制御部４１は、ＬＥＤランプ２１の点灯制御を行う。
【００３４】
本実施形態の携帯端末１０では、スピーカ２０からの着信音、バイブレータ、各液晶ディスプレイの表示、ＬＥＤランプ２１の点灯が、着信があったことを報知する報知手段である。なお、これらの報知動作はユーザによる設定が可能となっている。
【００３５】
＜通常モード／就寝モード＞
次に、本実施形態の携帯端末１０が有する着信モードについて説明する。本実施形態の携帯端末１０は、着信モードとして「通常モード」と「就寝モード」の２つのモードを有する。なお、「通常モード」は請求項の「第１のモード」に該当し、「就寝モード」は請求項の「第２のモード」に該当する。
【００３６】
「通常モード」は、通常時に選択される着信モードであり、着信があった際に通常の着信動作、すなわちユーザにより選択設定されている着信動作を行うモードである。具体的には、予め設定された着信音と、予め設定されたバイブレート動作と、予め設定された背面ディスプレイ１８・液晶ディスプレイ１４表示と、を出力する。また、ＬＥＤランプ２１を点灯・点滅させる。なお、必ずしも動作選択がなされる必要はなく、例えばバイブレート動作は実行しないといった設定も可能である。
【００３７】
なお、着信音がサイレント（無音）になる「マナーモード」などの特殊な着信モードも、この通常モードに含まれるものとする。
【００３８】
他方、「就寝モード」は、ユーザの就寝時に選択される着信モードであり、全ての報知手段をＯＦＦ制御し着信があっても着信動作を行わないモードである。具体的には、スピーカ制御部３６を制御して着信音を鳴らさない、バイブレータ制御部３８を制御してバイブレート動作を実行しない、液晶制御部３５を制御して背面ディスプレイ１８・液晶ディスプレイ１４に着信表示をしない、ＬＥＤランプ制御部４１を制御してＬＥＤランプ２１を点灯しない、といった動作制御を行う。つまり、着信があってもそれが着信動作として外部に（ユーザに）報知されず、外観からは着信を検知することができないモードである。
【００３９】
なお、「就寝モード」時に送られてきたメールについては、通常のメール着信と同様に、メールフォルダに格納・保存する。また、「就寝モード」時に掛かってきた電話着信については、ユーザはその着信を検知できず、それゆえ無制限に呼び出し可能としても無駄であるから、「ただいま電話に出ることができません」等の応答アナウンスや留守番電話機能で対応し、着信履歴上に発信元の電話番号を記録する。
【００４０】
この２つの着信モードの切り替え及びその着信モードの実行は、ＣＰＵ３１により行われる。
【００４１】
＜モード切り替え制御＞
次に、本実施形態の携帯端末１０の着信モードの切り替え制御について、図３、図４を参照して説明する。携帯端末１０のＣＰＵ３１は、図３、図４に示す端末状態判定フローを、随時あるいは短いサイクルでループ実行し、この結果に基づいて着信モードの切り替えを行う。
【００４２】
まず、ＣＰＵ３１は、携帯端末１０が「開状態」であるか、「閉状態」であるかの判定を行う（ステップＳ１）。この開閉状態の判定は、開閉状態検知部３９から得られた開閉状態情報に基づいてなされる。
【００４３】
ステップＳ１において携帯端末１０が「開状態」であると判定された場合には（ステップＳ２／Ｎｏ）、ＣＰＵ３１は着信モードを「通常モード」に設定する（ステップＳ８）。これは、通常折りたたみ携帯端末は「開状態」で使用するものなので、「開状態」である該携帯端末１０はユーザによる操作中・使用中であると考えられるからである。
【００４４】
他方、ステップＳ１において携帯端末１０が「閉状態」であると判定された場合には（ステップＳ２／Ｙｅｓ）、ＣＰＵ３１は携帯端末１０が暗所にあるか否かを判定する（ステップＳ３）。
【００４５】
携帯端末１０が暗所にあるか否かの判定は、カメラ装置制御部３７から得た周囲輝度レベルとＣＰＵ３１が保持する基準レベルとを比較することでなされ、周囲輝度レベルが基準レベル以下の場合に暗所にあると判定される。なお、カメラ装置制御部３７は、カメラ装置１９の受光素子から得られた撮像信号から周囲輝度レベルを算出する。
【００４６】
ステップＳ３において携帯端末１０が暗所ではなく明るい場所にあると判定された場合には（ステップＳ４／Ｎｏ）、ＣＰＵ３１は着信モードを「通常モード」に設定する（ステップＳ８）。これは、周囲が明るい場合には該携帯端末１０のユーザは活動中であると考えられるからである。
【００４７】
他方、ステップＳ３において携帯端末１０が暗所にあると判定された場合には（ステップＳ４／Ｙｅｓ）、ＣＰＵ３１は携帯端末１０が充電中であるか否か、すなわち外部電源からの電力供給が行われているか否かを判定する（ステップＳ５）。この携帯端末１０が充電中であるか否かの判定は、充電制御部４０から充電状態情報に基づいてなされる。
【００４８】
ステップＳ５において携帯端末１０が充電中ではないと判定された場合には（ステップＳ６／Ｎｏ）、ＣＰＵ３１は着信モードを「通常モード」に設定する（ステップＳ８）。これは、携帯端末１０がポケットやカバンの中にあるために、ステップＳ３で暗所にあると判定されたと考えられるからである。
【００４９】
他方、ステップＳ５において携帯端末１０が充電中であると判定された場合には（ステップＳ６／Ｙｅｓ）、ＣＰＵ３１は着信モードを「就寝モード」に設定する（ステップＳ７）。これは、『携帯端末が閉状態』、『周囲が暗所』、『充電中』の３条件がそろった場合、ユーザは就寝していると考えられるからである。
【００５０】
なお、「通常モード」が設定された場合には（ステップＳ８）、再びステップＳ１に戻り図３の判定処理をループ実行する。他方、「就寝モード」が設定された場合には（ステップＳ７）、図４のＡ以降の処理を行う。
【００５１】
図４の処理フローについて説明する。ＣＰＵ３１は、『携帯端末が閉状態』、『周囲が暗所』、『充電中』の３条件が解消されたか否かを判定する（ステップＳ９）。なお、この判定は、上記の処理フローと同様に、開閉状態情報の判定、周囲輝度レベルと基準レベルの比較、充電状態情報の判定を行うことでなされる。
【００５２】
ステップＳ９において上記３条件が解消されていないと判定された場合には（ステップＳ１０／Ｎｏ）、ＣＰＵ３１はステップＳ９の解消判定を繰り返す。
【００５３】
他方、ステップＳ９において３条件の少なくとも１つが解消されたと判定された場合には（ステップＳ１０／Ｙｅｓ）、ユーザが起床したものと考えられるので、ＣＰＵ３１は着信モードを「就寝モード」から「通常モード」に切り替える（ステップＳ１１）。そして、図３のＢに行き、ステップＳ１からの処理を繰り返す。
【００５４】
上述のような処理を行うことにより、ユーザの就寝時には、着信動作を実行しない「就寝モード」に自動的に切り換わるので、ユーザの就寝中に着信があったとしても着信音、バイブレート動作、各ディスプレイ表示、ＬＥＤランプ２１点灯などの着信動作は実行されず、ユーザの睡眠が妨げられることがなくなる。また、この「就寝モード」は、太陽光や室内灯の点灯によって周囲が明るくなったり、ユーザが操作のために携帯電話を開いたり、携帯電話を外に持ち出すために充電台から外すことによって着信動作を実行する「通常モード」に自動的に切り換わるので、ユーザがモードの切り替えを行う必要がなく、またモード切り替えを忘れるといった不都合も生じ得ない。また、従来の携帯端末のようにポケットやカバンの中にあるためにモードが切り換わるという不都合をなくすことができる。
【００５５】
＜他の実施形態＞
なお、図４の処理フローの代わりに、図５の処理フローを用いることもできる。図５の処理フローは、図４の処理フローに追加処理を加えたものである。
【００５６】
追加処理について説明する。ＣＰＵ３１は、ステップＳ１１で着信モードを「就寝モード」から「通常モード」に切り替えたあとに、直前の「就寝モード」中に電話着信・メール着信があったか否かを判定する（ステップＳ１２）。
【００５７】
ステップＳ１２で「就寝モード」中に着信があったと判定された場合には（ステップＳ１３／Ｙｅｓ）、ＣＰＵ３１はその旨をユーザに報知する。報知方法としては、スピーカ制御部３６を制御してスピーカ２０から「メールが届いています」や「着信がありました」などのアナウンスや所定の着信音を出力する、バイブレータ制御部３８を制御してバイブレート動作を実行する、液晶制御部３５を制御して各ディスプレイに着信表示する、ＬＥＤランプ制御部４１を制御してＬＥＤランプ２１を点灯する、などの手段を用いる。
【００５８】
このように制御することにより、ユーザは「就寝モード」中に着信があったか否かを音や光で知ることができるので、該着信に確実に気付くことが可能となる。また、「通常モード」に切り換わった際に報知動作を行うので、該着信に早急に気付くことが可能となる。
【００５９】
また、上記の「就寝モード」について、例えば、着信音、バイブレート動作、液晶表示は実行しないがＬＥＤ点灯だけは実行する、といったようにユーザ設定が可能であると良い。また、予め登録した所定の発信者からの着信については「就寝モード」であっても通常の着信動作を行うように設定できると良い。このようなユーザ設定が可能であれば、「就寝モード」に自由性を持たせることができ、ユーザに資することが可能となる。
【００６０】
また、カメラ装置１９の代わりに、光を検出することに特化した光検出装置を利用して暗所か否かを判定するようにしてもよい。
【００６１】
＜付記事項＞
上述の実施形態は本発明の好適な実施形態の一例を示すものにすぎず、本発明の実施の形態を限定する趣旨のものではない。よって、本発明は上述の実施形態に限定されることはなく、その要旨を逸脱しない範囲内において種々の変形実施を行うことが可能である。例えば、上記の実施形態においては、折り畳み型携帯端末について説明したが、例えばスライド開閉式の携帯端末についても本発明を適用することは可能である。
【図面の簡単な説明】
【００６２】
【図１】携帯端末の外部構成を示す図である。
【図２】携帯端末の内部構成を示す図である。
【図３】着信モードの切り替え制御を示すフロー図である。
【図４】着信モードの切り替え制御を示すフロー図である。
【図５】着信モードの切り替え制御を示すフロー図である。
【符号の説明】
【００６３】
１０    携帯端末
３１    ＣＰＵ
３５    液晶制御部
３６    スピーカ制御部
３７    カメラ装置制御部
３８    バイブレータ制御部
３９    開閉状態検知部
４０    充電制御部
【図１】
2006352765.tif 000003
【図２】
2006352765.tif 000004
【図３】
2006352765.tif 000005
【図４】
2006352765.tif 000006
【図５】
2006352765.tif 000007